(57)【要約】【課題】  光素子を配線基板上の所定位置に位置決め精度を高めて実装できる光コネクタ構造を提供する。【解決手段】  この光コネクタ構造１は、所定の相手側光コネクタと着脱自在に接続され、その相手側光コネクタと光結合する光素子５が配線基板７上に実装されるものであり、光素子５と配線基板７との互いの対向面のうち、一方の対向面上に凸部５ｃが形成され、他方の対向面上に凹部７ｃが形成され、凸部５ｃと凹部７ｃとが嵌合することにより光素子５が配線基板７上の所定位置に位置決めされて実装される。【選択図】図２
2005301114.tif 000002
【特許請求の範囲】
【請求項１】
所定の相手側光コネクタと着脱自在に接続され、その相手側光コネクタと光結合する光素子が配線基板上に実装されて備えられる光コネクタの構造であって、
前記光素子の外周側面上の複数箇所にそれぞれ凸部または凹部の一方が形成されると共に、前記配線基板の実装面上に素子収容凹部が形成されて、その素子収容凹部の内周側面上の対応する複数箇所にそれぞれ凸部または凹部の他方が形成され、
前記光素子は、その外周側面上の前記複数箇所にそれぞれ形成された前記凸部または凹部の一方がそれぞれ、前記素子収容凹部の内周側面上の対応する前記複数箇所にそれぞれ形成された前記凸部または凹部の他方に嵌合することにより、前記素子収容凹部内の所定位置に位置決めされて配設されることを特徴とする光コネクタ構造。
【請求項２】
前記光素子の一方の相対する各外側面上に前記凸部または凹部の一方が形成されると共に、前記配線基板の前記素子収容凹部の一方の相対する各内側面上に前記凸部または凹部の他方が形成され、
前記光素子は、その前記一方の相対する各外側面間が前記素子収容凹部の前記一方の相対する各内側面間に嵌合すると共に、その前記凸部または凹部の一方が前記素子収容凹部側の前記凸部または凹部の他方と嵌合することにより、前記素子収容凹部内の所定位置に位置決めされて配設されることを特徴とする請求項１に記載の光コネクタ構造。
【請求項３】
前記光素子の外側面上に電極部が配設されると共に、前記配線基板の前記素子収容凹部の内側面上に前記光素子側の前記電極部とリフロー接続される電極部が配設され、
前記光素子が前記配線基板の前記素子収容凹部内の前記所定位置に位置決めされて配設された状態で、前記光素子側の前記電極部と前記配線基板側の前記電極部との間にリフロー接続用の隙間が確保される様に、前記光素子の前記外側面と前記配線基板の前記内側面とが隙間を空けて対向することを特徴とする請求項１または請求項２に記載の光コネクタ構造。
【請求項４】
前記相手側光コネクタが着脱自在に嵌合されるハウジングを更に備え、
前記配線基板にスリット部が形成され、前記ハウジングに前記スリット部に嵌合する嵌合部が形成され、前記スリット部と前記嵌合部とが嵌合することにより前記配線基板が前記ハウジングの所定位置に位置決めされて配設されることを特徴とする請求項１〜請求項３の何れかに記載の光コネクタ構造。
【請求項５】
前記スリット部は、前記配線基板にくびれ部が形成される様に前記配線基板の縁側から切り込まれて形成され、
前記ハウジングに、前記配線基板が収容配設される基板収容凹部が形成され、
前記嵌合部は、前記基板収容凹部内において、その一端部が前記基板収容凹部の相対する各内側面のうちの一方の内側面に連成されると共に、その他端部が前記相対する各内側面のうちの他方の内側面と所定間隔空けて対向された板状に形成され、
前記配線基板は、その前記スリット部が前記基板収容凹部の前記嵌合部に嵌合すると共にその前記くびれ部が前記基板収容凹部の前記他方の内側面と前記嵌合部の前記他端部との間の前記所定間隔内に嵌合することにより、前記基板収容凹部内の前記所定位置に位置決めされて配設されることを特徴とする請求項４に記載の光コネクタ構造。
【発明の詳細な説明】
【技術分野】
【０００１】
本発明は、ＯＡ、ＦＡや車載機器等の光通信分野で用いられる光コネクタの構造であって、特に相手側光コネクタと光結合する光素子を備えた光コネクタの構造に関する。
【背景技術】
【０００２】
この種の光コネクタとして、配線基板と、配線基板の一側主面上に表面実装される表面実装タイプの光素子と、相手側光コネクタが着脱自在に嵌合すると共に配線基板が配設されるハウジングとを備えるものがある。この様な光コネクタにおいては、図６の様に、配線基板１０１の一側主面は平坦に形成されており、その一側主面上において、光素子１０３は、相手側光コネクタ（図示省略）との光学的アライメントが具備される様にリフロー実装される。光素子１０２を実装した配線基板１０１は、相手側光コネクタと光素子１０２との光学的アライメントが具備される様にハウジング（図示省略）に配設される。
【発明の開示】
【発明が解決しようとする課題】
【０００３】
上記の様な光コネクタでは、配線基板１０２の一側主面が平坦に形成されており、その一側主面上に光素子１０２がリフロー実装されるので、そのリフロー実装の際に、半田流れによる実装ズレが生じて、光素子１０２と相手側光コネクタとの光学的アライメントがずれるという欠点がある。この様に光学的アライメントがずれた場合は、光素子実装後に調芯作業を行う必要があり、その調芯作業が困難であるという欠点もある。
【０００４】
また、光素子１０２を実装した配線基板１０１をハウジングに配設する際に、配線基板１０１とハウジングとの間にずれが生じて、光素子１０２と相手側光コネクタとの光学的アライメントがずれるという欠点もある。
【０００５】
そこで、この発明の課題は、第１に、光素子を配線基板上の所定位置に位置決め精度を高めて実装できる光コネクタ構造を提供すること、第２に、光素子の実装された配線基板をハウジングの所定位置に位置決め精度を高めて配設できる光コネクタ構造を提供することにある。
【課題を解決するための手段】
【０００６】
上記課題を解決する為に、請求項１に記載の発明は、所定の相手側光コネクタと着脱自在に接続され、その相手側光コネクタと光結合する光素子が配線基板上に実装されて備えられる光コネクタの構造であって、前記光素子の外周側面上の複数箇所にそれぞれ凸部または凹部の一方が形成されると共に、前記配線基板の実装面上に素子収容凹部が形成されて、その素子収容凹部の内周側面上の対応する複数箇所にそれぞれ凸部または凹部の他方が形成され、前記光素子は、その外周側面上の前記複数箇所にそれぞれ形成された前記凸部または凹部の一方がそれぞれ、前記素子収容凹部の内周側面上の対応する前記複数箇所にそれぞれ形成された前記凸部または凹部の他方に嵌合することにより、前記素子収容凹部内の所定位置に位置決めされて配設されるものである。
【０００７】
請求項２に記載の発明は、前記光素子の一方の相対する各外側面上に前記凸部または凹部の一方が形成されると共に、前記配線基板の前記素子収容凹部の一方の相対する各内側面上に前記凸部または凹部の他方が形成され、前記光素子は、その前記一方の相対する各外側面間が前記素子収容凹部の前記一方の相対する各内側面間に嵌合すると共に、その前記凸部または凹部の一方が前記素子収容凹部側の前記凸部または凹部の他方と嵌合することにより、前記素子収容凹部内の所定位置に位置決めされて配設されるものである。
【０００８】
請求項３に記載の発明は、前記光素子の外側面上に電極部が配設されると共に、前記配線基板の前記素子収容凹部の内側面上に前記光素子側の前記電極部とリフロー接続される電極部が配設され、前記光素子が前記配線基板の前記素子収容凹部内の前記所定位置に位置決めされて配設された状態で、前記光素子側の前記電極部と前記配線基板側の前記電極部との間にリフロー接続用の隙間が確保される様に、前記光素子の前記外側面と前記配線基板の前記内側面とが隙間を空けて対向するものである。
【０００９】
請求項４に記載の発明は、前記相手側光コネクタが着脱自在に嵌合されるハウジングを更に備え、前記配線基板にスリット部が形成され、前記ハウジングに前記スリット部に嵌合する嵌合部が形成され、前記スリット部と前記嵌合部とが嵌合することにより前記配線基板が前記ハウジングの所定位置に位置決めされて配設されるものである。
【００１０】
請求項５に記載の発明は、前記スリット部は、前記配線基板にくびれ部が形成される様に前記配線基板の縁側から切り込まれて形成され、前記ハウジングに、前記配線基板が収容配設される基板収容凹部が形成され、前記嵌合部は、前記基板収容凹部内において、その一端部が前記基板収容凹部の相対する各内側面のうちの一方の内側面に連成されると共に、その他端部が前記相対する各内側面のうちの他方の内側面と所定間隔空けて対向された板状に形成され、前記配線基板は、その前記スリット部が前記基板収容凹部の前記嵌合部に嵌合すると共にその前記くびれ部が前記基板収容凹部の前記他方の内側面と前記嵌合部の前記他端部との間の前記所定間隔内に嵌合することにより、前記基板収容凹部内の前記所定位置に位置決めされて配設されるものである。
【発明の効果】
【００１１】
請求項１に記載の発明によれば、光素子が、その外側面上の複数箇所にそれぞれ形成された凸部または凹部の一方がそれぞれ、配線基板の素子収容凹部の内側面上の対応する複数箇所にそれぞれ形成された凸部または凹部の他方に嵌合することにより、素子収容凹部内の所定位置に位置決めされて配設されるので、光素子を配線基板上の所定位置に位置決め精度を高めて実装できる。
【００１２】
請求項２に記載の発明によれば、光素子が、その一方の相対する各外側面間が素子収容凹部内の一方の相対する内側面間に嵌合すると共に、その前記各外側面に形成された凸部または凹部の一方が素子収容凹部側の前記各内側面に形成された凸部または凹部の他方と嵌合することにより、素子収容凹部内の所定位置に位置決めされて配設されるので、光素子と素子収容凹部間とが一方の方向に関してしか位置決め状に嵌合できない場合でも、凹部と凸部との嵌合を組み合わせて有効に光素子を素子収容凹部内の所定位置に位置決め精度を高めて実装できる。
【００１３】
請求項３に記載の発明によれば、光素子が配線基板の素子収容凹部内の所定位置に位置決めされて配置された状態で、素子収容凹部側の電極部と光素子側の電極部とがリフロー接続用の隙間を空けて対向する様に、配線基板の内側面と光素子の外側面とを隙間を空けて対向させる場合においても、その条件を満たして光素子を配線基板上の所定位置に位置決め精度を高めて実装できる。
【００１４】
請求項４に記載の発明によれば、配線基板にスリット部が形成され、ハウジングに前記スリット部に嵌合する嵌合部が形成され、前記スリット部と前記嵌合部とが嵌合することにより配線基板がハウジングの所定位置に位置決めされて配設されるので、配線基板をハウジングの所定位置に位置決め精度を高めて配設できる。
【００１５】
請求項５に記載の発明によれば、スリット部が、配線基板にくびれ部が形成される様に配線基板の縁側から切り込まれて形成され、嵌合部が、ハウジングの基板収容凹部内において、その一端部が前記基板収容凹部の相対する各内側面のうちの一方の内側面に連成されると共に、その他端部が前記相対する各内側面のうちの他方の内側面と所定間隔空けて対向された板状に形成され、前記配線基板は、その前記スリット部が前記基板収容凹部の前記嵌合部に嵌合すると共にその前記くびれ部が前記基板収容凹部の前記他方の内側面と前記嵌合部の他端部との間の前記所定間隔内に嵌合することにより、前記基板収容凹部内の前記所定位置に位置決めされて配設されるので、簡単な構造で配線基板をハウジングの所定位置に位置決め精度を高めて配設できる。
【発明を実施するための最良の形態】
【００１６】
この実施の形態に係る光コネクタ構造１は、図１および図２の様に、１本以上（ここでは２本）の光ファイバ３ｂを保持した相手側光コネクタ３が着脱自在に接続され、その相手側光コネクタ３に保持された光ファイバ３ｂと光結合する光素子５が配線基板７上に実装されて備えられるものであり、配線基板７と、配線基板７に実装された１つ以上（ここでは相手側光コネクタ３の光ファイバ３ｂの数に合わせて２つ）の表面実装タイプの光素子５と、相手側光コネクタ３が着脱自在に嵌合接続されると共に配線基板７が収容配設されるハウジング９とを備えて構成される。
【００１７】
尚、ここでは、各光ファイバ３ｂは、例えばフェルール部３ａを介して相手側光コネクタ３内に保持されている。
【００１８】
各光素子５は、フォトダイオードやフォトトランジスタ等の受光素子または発光ダイオード等の発光素子である。各光素子５は、図２〜図４の様に、例えば平面視矩形状の板状に形成された素子本体５ａを有し、その素子本体５ａの外周側面上の複数箇所に（ここでは素子本体５ａの一方の相対する各外側面５ｂ上の例えば中央に）、配線基板７側の後述の凹部７ｃと嵌合する位置決め用の凸部５ｃが形成される。素子本体５ａの一側主面上の所定箇所には、受光部または発光部（以後、受発光部と称す）５ｄが配設される。また、素子本体５ａの外側面上には（ここでは素子本体５ａの他方の相対する各外側面５ｅ上および凸部５ｃの先端面上には）、配線基板７側の後述の電極部７ｆと電気接続される電極部５ｆが配設される。
【００１９】
配線基板７は、例えば平面視矩形状の板状に形成される。配線基板７の一側主面（実装面）上には、各光素子５が収容される２つの素子収容凹部７ａが形成される。
【００２０】
各素子収容凹部７ａの平面視寸法は、例えば、その一方（ｙ方向）の辺の長さが光素子５の同方向の辺の長さと略同一寸法に形成され、その他方（ｘ方向）の辺の長さが光素子５の同方向の辺の長さより少し大きく形成される。即ち、素子収容凹部７ａは、その一方の辺方向（ｙ方向）においては光素子５と嵌合して光素子５を位置決めして収容し、その他方の辺方向（ｘ方向）においては光素子５との間に所定隙間が生じる様に収容する。また、素子収容凹部７ａの深さは、ここでは光素子５の厚さより浅く形成されるが、光素子５の厚さより深く形成してもよく、また光素子５の厚さと同程度に形成してもよい。
【００２１】
尚、ここでは、配線基板７における一方の相対する各内側面７ｂは、配線基板７のｘ方向の辺に平行に形成され、配線基板７における他方の相対する各内側面７ｄは、配線基板７のｙ方向の辺に平行に形成される。
【００２２】
各素子収容凹部７ａの内周側面上の複数箇所には（ここでは各素子収容凹部７ａの一方の相対する各内側面７ｂ上の例えば中央には）、光素子５側の凸部５ｃと嵌合する凹部７ｃが形成される。各凹部７ｃは、配線基板７の一側主面（図２では上面（実装面））側に開放している。
【００２３】
各凹部７ｃにおける凹方向の奥行きは、光素子５の凸部５ｃの凸方向の長さよりも長く形成される。これにより、光素子５の凸部５ｃと配線基板７の凹部７ｃとが嵌合した際に、凸部５ｃの先端面に配設された電極部５ｆと、凹部７ｃの奥面７ｅに配設される後述の電極部７ｆとの間にリフロー接続用の隙間が確保される。
【００２４】
各素子収容凹部７ａの内側面上には（ここでは各素子収容凹部７ａにおける他方の相対する各内側面７ｄ上および各凹部７ｃの奥面７ｅ上には）、光素子５側の電極部５ｆと電気接続される電極部７ｆが配設される。この電極部７ｆは、配線基板７に配設された配線パターン７ｇ（図３参照）に接続される。
【００２５】
尚、ここでは、配線基板７は、図３の様に、例えば多層基板（例えば上層基板７Ｕと下層基板７Ｄからなる２層基板）として構成される。そして、素子収容凹部７ａおよび凹部７ｃは、多層基板７のうちの上層基板７Ｕの所定領域が各素子収容凹部７ａおよび各凹部７ｃの形に切り抜かれて形成される。配線基板７側の電極部７ｆは、例えば上層基板７Ｕと下層基板７Ｄの間に配設された配線パターン７ｇに接続される。
【００２６】
配線基板７には、図１および図２の様にスリット部７ｈが形成される。このスリット部７ｈは、例えば配線基板７にくびれ部７ｊが形成される様に配線基板７の縁側から切り込まれて（ここでは配線基板７の一の辺（ｘ方向に沿った辺）の中央からその辺の直交方向（ｙ方向）に向けて２つの素子収容凹部７ａの間に切り込まれて）形成される。
【００２７】
そして、この配線基板７に光素子５を実装するには、図２および図３を参照して、先ず例えば配線基板７の電極部７ｆ上に半田ペースト（図示省略）が塗布される。
【００２８】
そして、光素子５を、その受発光部５ｄが表側を向く様に且つその各凸部５ｃが配線基板７の素子収容凹部７ａの各凹部７ｃに嵌合する様にして、素子収容凹部７ａ内に収容配置させる。これにより、（１）光素子５の一方の相対する各外側面間５ｂが素子収容凹部７ａの一方の相対する各内側面７ｂの間に嵌合すると共に（２）光素子５の各凸部５ｃが素子収容凹部７ａの各凹部７ｃに嵌合して、光素子５が素子収容凹部７ａ内の所定位置（従って配線基板７上の所定位置）に位置決めされて配置される。特に上記（１）の嵌合により、光素子５における配線基板７上のｙ方向の位置（素子収容凹部７ａの一方の相対する各内側面７ｂの相対方向の位置）が所定位置（後述の様に光素子５の受発光部５ｄのｙ方向の位置と対応する光ファイバ端面３ｃのｙ方向の位置とが一致する位置）に位置決めされる。また、上記（２）の嵌合により、光素子５における配線基板７上のｘ方向の位置（素子収容凹部７ａの他方の相対する各内側面７ｄの相対方向の位置）が、所定位置（後述の様に光素子５の受発光部５ｄのｘ方向の位置と対応する光ファイバ端面３ｃのｘ方向の位置とが一致する位置）に位置決めされると共に素子収容凹部７ａの内側面７ｄと光素子５の外側面５ｅとが所定隙間を空けて対向してこれにより光素子５側の電極部５ｆと配線基板７側の対応する電極部７ｆとがリフロー接続用の隙間を空けて対向する様に位置決めされる。この様にして、光素子５が配線基板７上の所定位置に位置決めされて実装される。
【００２９】
そして、この状態で、配線基板７側の電極部７ｆに塗布された半田ペーストが溶融されて、光素子５側の電極部５ｆと配線基板７側の対応する電極部７ｆとが半田７ｉ（図４参照）により電気的に接続される。この様にして、光素子５が配線基板７上の所定位置に位置決めされて実装される。
【００３０】
ハウジング９は、図１および図５の様に、概略扁平な筒状に形成されており、その一端開口部９ａ側に、相手側光コネクタ３が嵌合接続される接続筒部９ｂが形成され、その他端開口部９ｃ側に、配線基板７が収容配設される基板収容凹部９ｄが形成される。
【００３１】
接続筒部９ｂは、相手側光コネクタ３を内嵌め可能な有底筒状に形成される。接続筒部９ｂの底面（奥面）上には、１つ以上（ここでは相手側光コネクタ３の光ファイバ３ｂの数に合わせて２つ）のスリーブ部９ｅが突出形成される。各スリーブ部９ｅは、相手側光コネクタ３の対応するフェルール部３ａを挿入可能でかつ基板収容凹部９ｄ内に連通する筒孔９ｇを有する略筒状に形成される。
【００３２】
そして、この接続筒部９ｂに相手側光コネクタ３が接続されると、まず、相手側光コネクタ３は、接続筒部９ｂの内周面に沿って大まかに案内されて挿入される。そして、相手側光コネクタ３がより奥に挿入されると、相手側光コネクタ３の各フェルール部３ａが、接続筒部９ｂ内の対応するスリーブ部９ｅの筒孔９ｇの内周面に沿って精密に案内されて挿入される。そして、相手側光コネクタ３が接続筒部９ｂの最も奥に挿入されると、相手側光コネクタ３の各光ファイバ３ｂの端面３ｃは、対応するスリーブ部９ｅの筒孔９ｇにおける基板収容凹部９ｄ側の開口面上の所定位置に位置決めされて配置され、この状態で、後述の様に基板収容凹部９ｄに収容配設される配線基板７上の対応する光素子５の受発光部５ｄと対向して、両者３ｃ，５ｄの光学的な結合がなされる。
【００３３】
尚、図示省略されるが、接続筒部９ｂの内周面上には、例えば係止突起または係止凹部の一方が形成され、相手側光コネクタ３の外側面上には、例えば係止突起または係止凹部の他方が形成されており、相手側光コネクタ３が接続筒部９ｂの最も奥に挿入されると、両者３，９ｂの係止突起および係止凹部が互いに係合して、これにより両者３，９ｂの接続状態が保持されるものとする。
【００３４】
基板収容凹部９ｄの開口部（即ちハウジング９の他端開口部）９ｃの寸法は、配線基板７の平面視寸法よりも少し大きめの寸法に形成される。基板収容凹部９ｄの奥行き（深さ）は、配線基板７の厚さと同じか、それよりも深く形成される。基板収容凹部９ｄの奥面９ｎ上には、各光素子５における配線基板７から突出した部分５ｇ（図５参照）がそれぞれ収容配置される素子収容凹部９ｆが形成される。そして、各素子収容凹部９ｆの奥面上にはそれぞれ、対応するスリーブ部９ｅの筒孔９ｇが連通される。
【００３５】
また、基板収容凹部９ｄ内には、図１および図５の様に、配線基板７のスリット部７ｈと嵌合する例えば板状の嵌合部９ｈが形成される。即ち、嵌合部９ｈのｘ方向の幅（壁厚）とスリット部７ｈのｘ方向の幅（スリット幅）とは、ほぼ同一寸法に形成される。ここでは、この嵌合部９ｈは、例えば基板収容凹部９ｄを左右に２分する様に縦方向（ｙ方向）に沿って基板収容凹部９ｄの奥面９ｎ上に立設されており、その一端部９ｉ側が基板収容凹部９ｄの上側の内側面９ｊ上に連成されると共に、その他端部９ｋが基板収容凹部９ｄの下側の内側面９ｍと所定間隔（配線基板７のくびれ部７ｊの幅と同じ幅）空けて対向する様に形成される。尚、嵌合部９ｈの後端面９ｐは、基板収容凹部９ｄの後端面（開口面）９ｑより突出しない様に形成される。
【００３６】
そして、この基板収容凹部９ｄに配線基板７を配設するには、図１および図５を参照して、配線基板７の光素子５側主面が基板収容凹部９ｄの奥面９ｎ上に当接する様に、且つ配線基板７のスリット部７ｈが基板収容凹部９ｄの嵌合部９ｈに嵌合する様にして、配線基板７を基板収容凹部９ｄ内に収容配置させる。これにより、配線基板７に実装された光素子５が基板収容凹部９ｄの素子収容凹部９ｆ内に収容配置される。そして、（１）配線基板７のスリット部７ｈが基板収容凹部９ｄの嵌合部９ｈに嵌合すると共に（２）配線基板７のくびれ部７ｊが基板収容凹部９ｄの下側内側面９ｍと嵌合部９ｈの他端部９ｋとの間の所定間隔内に嵌合して、配線基板７が基板収容凹部９ｄ内の所定位置（各光素子５の受発光部５ｄの中心部の位置と、対応するスリーブ部９ｅ内の光ファイバ３ｂの端面３ｃの中心部の位置とが一致する位置）に位置決めされて配設される。特に、上記（１）の嵌合により、配線基板７における基板収容凹部９ｄ内でのスリット部７ｈに直交する方向（ｘ方向）の位置が所定位置に位置決めされる。また、上記（２）の嵌合により、配線基板７における基板収容凹部９ｄ内でのスリット部７ｈに平行な方向（ｙ方向）の位置が所定位置に位置決めされる。この様にして、配線基板７が基板収容凹部９ｄ内の所定位置に位置決めされて配設される。
【００３７】
尚、図示省略されるが、例えば基板収容凹部９ｄの内側面上における開口部９ｃ付近に係止突起が複数形成されており、配線基板７が上記の様に基板収容凹部９ｄ内の所定位置に収容配置されると、基板収容凹部９ｄの当該各係止突起が配線基板７の他側主面（背面）に係合して、これにより配線基板７が基板収容凹部９ｄ内に上記の状態で収容保持されるものとする。または、例えば基板収容凹部９ｄの奥面９ｎ上に係止フックが立設されると共に配線基板７に係止孔が形成されており、配線基板７が上記の様に基板収容凹部９ｄ内の所定位置に収容配置されると、両者７，９ｄの係止フックと係止孔とが係合して、これにより配線基板７が基板収容凹部９ｄ内に上記の状態で収容保持されるものとする。
【００３８】
以上の様に構成された光コネクタ構造１によれば、光素子５が、その外周側面上の複数箇所にそれぞれ形成された凸部５ｃがそれぞれ、配線基板７の素子収容凹部７ａの内周側面上の対応する複数箇所にそれぞれ形成された凹部７ｃに嵌合することにより、素子収容凹部７ａ内の所定位置に位置決めされて配設されるので、光素子５を配線基板７上の所定位置に位置決め精度を高めて実装できる。
【００３９】
また、光素子５が、その一方の相対する各外側面５ｅ間が素子収容凹部７ａ内の一方の相対する各内側面７ｄ間に嵌合すると共に、その各外側面５ｅに形成された凸部５ｃが素子収容凹部７ａ側の各内側面７ｄに形成された凹部７ｃと嵌合することにより、素子収容凹部７ａ内の所定位置に位置決めされて配設されるので、光素子５と素子収容凹部７ａ間とが一方の方向に関してしか位置決め状に嵌合できない場合でも、凹部７ｃと凸部５ｃとの嵌合を組み合わせて有効に光素子５を素子収容凹部７ａ内の所定位置に位置決め精度を高めて実装できる。
【００４０】
また、光素子５が配線基板７の素子収容凹部７ａ内の所定位置に位置決めされて配置された状態で、素子収容凹部７ａ側の電極部７ｆと光素子５側の電極部５ｆとがリフロー接続用の隙間を空けて対向する様に、配線基板７の内側面７ｄと光素子５の外側面５ｅとを隙間を空けて対向させる場合においても、その条件を満たして光素子５を配線基板７上の所定位置に位置決め精度を高めて実装できる。
【００４１】
この様にして、上記の様に光素子５が配線基板７に形成された素子収容凹部７ａ内に配置されることにより、光素子５が配線基板７から突出することを抑制でき、光素子５を実装した配線基板７を薄型化できる。また、上記の様に配線基板７の素子収容凹部７ａの内側面に配設された電極部７ｆと光素子５の外側面に配設された電極部５ｆとがリフロー接続用の隙間を空けて対向する様に、配線基板７の前記内側面と光素子５の前記外側面とが隙間を空けて対向されることにより、リフロー半田を配線基板７の素子収容凹部７ａと光素子５との間の隙間に集中でき、これによりリフロー半田が半田を必要としない周囲部分に流れることを防止でき、半田を有効に用いて電極部間をリフロー接続できる。
【００４２】
また、凸部５ｃまたは凹部７ｃが、配線基板７の側面上または光素子５の側面上に形成されるので、凸部５ｃの高さ分または凹部７ｃの深さ分、配線基板７や光素子５が厚くなることを防止でき、光素子５を実装した配線基板７を薄型化できる。
【００４３】
また、配線基板７にスリット部７ｈが形成されると共にハウジング９に嵌合部９ｈが形成されて、それらスリット部７ｈと嵌合部９ｈとが嵌合することにより配線基板７がハウジング９の所定位置に位置決めされて配設されるので、配線基板７をハウジング９の所定位置に位置決め精度を高めて配設できる。
【００４４】
また、スリット部７ｈが、配線基板７にくびれ部７ｊが形成される様に配線基板７の縁側から切り込まれて形成され、嵌合部９ｈが、ハウジング９の基板収容凹部９ｄ内において、その一端部９ｉが基板収容凹部９ｄの相対する各内側面９ｊ，９ｍのうちの一方の内側面９ｊに連成されると共に、その他端部９ｋが相対する各内側面９ｊ，９ｍのうちの他方の内側面９ｍと所定間隔空けて対向された板状に形成され、配線基板７は、そのスリット部７ｈが基板収容凹部９ｄの嵌合部９ｈに嵌合すると共にそのくびれ部７ｊが基板収容凹部９ｄの他方の内側面９ｍと嵌合部９ｈの他端部９ｋとの間の前記所定間隔内に嵌合することにより、基板収容凹部９ｄ内の所定位置に位置決めされて配設されるので、簡単な構造で配線基板７をハウジング９の所定位置に位置決め精度を高めて配設できる。
【００４５】
尚、この実施の形態では、光素子５側に凸部５ｃを形成すると共に配線基板７側に凹部７ｃを形成したが、それら凸部と凹部を逆にして、光素子５側に凹部７ｃを形成すると共に配線基板７側に凸部５ｃを形成してもい。
【図面の簡単な説明】
【００４６】
【図１】本発明の実施の形態に係る光コネクタ構造の概略分解斜視図である。
【図２】本発明の実施の形態に係る光コネクタ構造における光素子および配線基板の分解斜視図である。
【図３】図１のIII−III断面の部分断面図である。
【図４】本発明の実施の形態に係る光コネクタ構造における光素子を実装した配線基板の部分平面視図である。
【図５】図１のV-V断面図である。
【図６】従来の光コネクタ構造における光素子および配線基板の分解斜視図である。
【符号の説明】
【００４７】
１  光コネクタ構造
３  相手側光コネクタ
３ｂ  光ファイバ
３ｃ  光ファイバ端面
５  光素子
５ｂ  一方の相対する各外側面
５ｃ  凸部
５ｅ  他方の相対する各外側面
５ｆ  電極部
７  配線基板
７ａ  素子収容凹部
７ｂ  一方の相対する各内側面
７ｃ  凹部
７ｄ  他方の相対する各内側面
７ｆ  電極部
７ｈ  スリット部
７ｉ  半田ペースト
７ｊ  くびれ部
９  ハウジング
９ｄ  基板収容凹部
９ｈ  嵌合部
９ｉ  嵌合部の一端面
９ｋ  嵌合部の他端面
９ｍ  下側の内側面
【図１】
2005301114.tif 000003
【図２】
2005301114.tif 000004
【図３】
2005301114.tif 000005
【図４】
2005301114.tif 000006
【図５】
2005301114.tif 000007
【図６】
2005301114.tif 000008